(57)【要約】【課題】  小型化可能でありながら、多くの機能を付加することが可能であり、しかも携帯性や装着性に優れ、着脱時に落下させることのない腕時計を提供する。【解決手段】  本発明の腕時計１００は、本体部１１０と、本体部に接続されたバンド部１２０とを有し、本体部は複数の本体ブロック１１１，１１２，１１３を有し、複数の本体ブロックは、収納状態と伸長状態とを選択可能な態様で相互に連結されてなり、収納状態では複数の本体ブロックが互いに重なるように配置され、伸長状態では複数の本体ブロックが並列に配置されるように構成されていることを特徴とする。【選択図】図１
2005106520.tif 000002
【特許請求の範囲】
【請求項１】
本体部と、該本体部に接続されたバンド部とを有する腕時計において、
前記本体部は複数の本体ブロックを有し、該複数の本体ブロックは、収納状態と伸長状態とを選択可能な態様で相互に連結されてなり、
前記収納状態では前記複数の本体ブロックが互いに重なるように配置され、前記伸長状態では前記複数の本体ブロックが並列に配置されるように構成されていることを特徴とする腕時計。
【請求項２】
前記バンドは前記伸長状態にある前記本体部の両端にそれぞれ配置される前記本体ブロックの端部に接続されていることを特徴とする請求項１に記載の腕時計。
【請求項３】
３以上の奇数個の前記本体ブロックが順次反対側に折り畳み可能に連結されていることを特徴とする請求項１又は２に記載の腕時計。
【請求項４】
前記複数の本体ブロックが相互に入れ子式構造若しくはスライド式構造により伸縮可能に連結されていることを特徴とする請求項１又は２に記載の腕時計。
【請求項５】
前記収納状態にあるときに外部から視認可能な前記本体ブロックの表面部分に表示部を有することを特徴とする請求項１乃至４のいずれか一項に記載の腕時計。
【請求項６】
前記複数の本体ブロックとして、操作入力手段を備えた操作入力ブロックと、表示体を備えた表示ブロックとを有することを特徴とする請求項１乃至５のいずれか一項に記載の腕時計。
【請求項７】
前記収納状態を保持する係合保持手段を有することを特徴とする請求項１乃至６のいずれか一項に記載の腕時計。
【発明の詳細な説明】
【技術分野】
【０００１】
本発明は腕時計に係り、特に、種々の機能を付加した多機能時計として好適な腕時計の構造に関する。
【背景技術】
【０００２】
一般に、腕時計は、時計本体で構成される本体部と、これに接続されたバンド部とを備え、バンド部によって腕に固定した状態で用いられる。バンド部の構造としては、美錠などの連結具を用いて一対のバンド片を互いに連結できるように構成されたもの、一体のバンド片が伸縮自在に構成されているもの、三つ折り型の折り畳み可能な開閉具を備えたものなどが知られている。
一方、腕時計を多機能化する試みもあり、腕時計に心拍数や血圧などを測定する測定機能を設けたもの、通信機能を設けたものなどが知られている（以下の非特許文献１及び２並びに特許文献１参照）。   
【非特許文献１】ＷＲＩＳＴＯＭＯ情報サイト（http://www.wristomo.com/top.html）
【非特許文献２】「未来をつかめ  ＳＦ技術  日本の今  腕時計型通信機（「ウルトラセブン」ほか）」日経産業新聞２００３年８月１９日版
【特許文献１】特開２００２−８４５７５号公報
【発明の開示】
【発明が解決しようとする課題】
【０００３】
しかしながら、前述の腕時計では、装着性やデザイン性を確保するために本体部の面積や容積が限られているので、種々の機能を付加する場合でも、スペース的に大きな制約があることから、現実に付加できる機能に限界があるという問題点がある。また、種々の機能を付加すると、上記のスペース的な制約により、操作入力部が複雑になったり、表示情報が増大したりすることにより、操作が困難になったり、表示が視認しにくくなったりし、使い勝手が悪くなるという問題点がある。
【０００４】
また、腕時計において、一対のバンド片を連結具で連結可能に構成したバンド部を用いる場合には、装着される腕以外の片方の手で着脱操作を行わなければならないことから、着脱時において誤って腕時計を落下させる危険性がある。これと同様に、上記非特許文献１で示した腕時計型の携帯電話では、腕時計の本体に相当する部分と、腕時計のバンドに相当する部分とがともに肉厚の剛体で構成され、バンドに相当する部分が着脱可能に構成されているため、腕への装着性が不十分であり、着脱時に機器を落下させる危険性があった。
【０００５】
そこで、本発明は上記問題点を解決するものであり、その課題は、小型化可能でありながら、多くの機能を付加することが可能であり、しかも携帯性や装着性に優れ、着脱時に落下させることのない腕時計を提供することにある。
【課題を解決するための手段】
【０００６】
本発明の腕時計は、本体部と、該本体部に接続されたバンド部とを有する腕時計において、前記本体部は複数の本体ブロックを有し、該複数の本体ブロックは、収納状態と伸長状態とを選択可能な態様で相互に連結されてなり、前記収納状態では前記複数の本体ブロックが互いに重なるように配置され、前記伸長状態では前記複数の本体ブロックが並列に配置されるように構成されていることを特徴とする。
【０００７】
この発明によれば、バンド部に接続された本体部が複数の本体ブロックを有し、これらの本体ブロックが互いに重なるように配置される収納状態と、並列に配置される伸長状態とを選択可能な態様で相互に連結されていることにより、本体ブロックを収納することによって本体部の小型化が可能であるとともに、本体部を伸長させて複数の本体ブロックを並列させることによって本体部を広げることができるため、本体部に種々の機能を付加することが可能になり、操作入力面の面積や表示面積も充分に確保することができる。また、本体部の収納状態を解除することによって本体部が長くなることによりバンド部による締め付け状態を緩めることができるため、そのまま着脱が可能になることから、着脱時においてバンド部を取り外す必要がなくなり、腕時計を落下させる危険性もなくなる。
【０００８】
本発明において、前記バンドは前記伸長状態にある前記本体部の両端にそれぞれ配置される前記本体ブロックの端部に接続されていることが好ましい。これによって、本体部を伸長状態としたときに本体部とバンドとによって構成される周回方向の長さを最も長くすることができるため、腕時計の着脱作業をさらに容易に行うことが可能になる。
【０００９】
本発明において、３以上の奇数個の前記本体ブロックが順次反対側に折り畳み可能に連結され、前記伸長状態において両端に配置される一対の前記本体ブロックが前記バンドに連結されていることが好ましい。これによれば、３以上の奇数個の本体ブロックが順次反対側に折り畳み可能に連結されている、例えば３つの本体ブロックが三つ折れ状に構成されていることにより、本体部とバンド部との接続状態を変更することなく、腕に装着したままで、収納状態にある本体部の本体ブロックの連結部分を回動させて広げることによってきわめて簡単に伸長状態に移行させることが可能になる。
【００１０】
本発明において、前記複数の本体ブロックが相互に入れ子式構造若しくはスライド式構造により伸縮可能に連結されていることが好ましい。これによれば、一つの本体ブロックに他の本体ブロックを挿入して収納できるために本体部をコンパクトに構成できるとともに、一つの本体ブロックから他の本体ブロックを引き出して広げることによって伸長状態に容易に移行することが可能になる。
【００１１】
本発明において、前記収納状態にあるときに外部から視認可能な前記本体ブロックの表面部分に表示部を有することが好ましい。これによれば、収納状態において外部から視認可能な表示部が設けられていることによって、通常の腕時計と同様に時刻表示などを表示することができる。この場合に、収納状態において外部に露出する本体ブロックに上記表示部が設けられていてもよく、また、外部に露出するブロックに開口部や窓部が設けられ、この開口部や窓部を通して上記表示部が視認可能に構成されていてもよい。たとえば、上記本体ブロックが開口部を有する枠状に構成されているときには、この枠の内側の開口部を通して表示部が視認可能に構成されていればよい。
【００１２】
本発明において、前記複数の本体ブロックとして、操作入力手段を備えた操作入力ブロックと、表示体を備えた表示ブロックとを有することが好ましい。これによれば、各種の入力操作が可能になるとともに、画面表示を視認することが可能になる。ここで、操作入力ブロックの操作入力手段及び表示ブロックの表示体は収納状態において内部に隠れるように構成されることが望ましい。
【００１３】
本発明において、前記収納状態を保持する係合保持手段を有することが好ましい。これによれば、係合保持手段によって収納状態を保持することができるので、腕時計として支障なく携帯することが可能になる。ここで、係合保持手段としては、後述するように、収納状態を保持するロック機構と、ロック機構によるロック状態を解除することの可能なロック解除ボタンなどの解除操作手段とを有するものが挙げられる。また、係合状態を通常の装着者の操作力によって解除可能な程度に軽く保持することができる係合保持手段、例えば、スナップ係合構造や磁気吸着構造であってもよい。
【発明を実施するための最良の形態】
【００１４】
次に、添付図面を参照して本発明に係る腕時計の実施形態について詳細に説明する。図１は、本実施形態の腕時計１００の収納状態を示す概略斜視図、図２は、上記伸長状態と収納状態の中間の中間状態を示す概略斜視図、図３は、腕時計１００の伸長状態を示す概略斜視図である。
【００１５】
腕時計１００は、本体部１１０と、バンド部１２０とを有する。本体部１１０は複数の本体ブロックが連結された構造となっている。すなわち、第１本体ブロック１１１と、第２本体ブロック１１２と、第３本体ブロック１１３とが順次に回動可能に連結されている。各本体ブロック間は全てヒンジ接合などによって連結される。本体部１１０において図１に示すように収納状態にあるときには、通常の腕時計と同様に、上記の表示部に相当する表示体１１２ｂの表示画面が視認可能であり、例えば、時刻などの時間情報が視認される。本体部１１０は、図３に示す伸長状態において、両端に配置される第１本体ブロック１１１と第３本体ブロック１１３とがそれぞれバンド部１２０に接続されている。バンド部１２０は、通常の腕時計のバンドと同様に美錠などの連結具によって着脱可能に構成されたものでもよく、また、折り畳み式の開閉具（例えば、本体部１１０と同様の三つ折れ状の開閉具）などによって伸縮可能に構成されたものであってもよい。ただし、本実施形態では、本体部１１０が後述するように伸縮可能に構成されているので、図２及び図３に示すように本体部１１０の収納状態を解除すれば着脱（装着及び取り外し）が可能になることから、図示例のように本体部１１０の両端を接続する一体の単なる帯状に構成されたものであってもよい。
【００１６】
第１本体ブロック１１１の表面には操作ボタンなどの操作入力手段１１１ａが構成されている。この第１本体ブロック１１１は上記の操作入力ブロックに相当する。また、第２本体ブロック１１２には表示体（液晶表示パネル）１１２ａが設けられ、その表面には表示画面が構成されている。また、この第２本体ブロック１１２には、表示体１１２ａの表示画面とは反対側の表面に上記の表示体１１２ｂが設けられている。この第２本体ブロック１１２は上記の表示ブロックに相当する。また、第３本体ブロック１１３は枠状に構成され、この枠の内側は開口部１１３ａとなっている。
【００１７】
第１本体ブロック１１１のバンド接続側（第２本体ブロック１１２の連結側と反対側）の端部にはマイクロホンなどの音声入力手段１１１ｂが内蔵されている。また、第３本体ブロック１１３のバンド接続側（第２本体ブロック１１２の連結側と反対側）の端部には、スピーカなどの音声出力手段１１３ｂが内蔵されている。
【００１８】
第１本体ブロック１１１と第２本体ブロック１１２とは、少なくとも、図１に示す表示体１１２ａの表示画面と操作面とが向かい合わせに閉じられた姿勢（収納状態）と、図３に示す表示画面と操作面とが並列した姿勢（伸長状態）との間を回動可能に構成されている。また、第２本体ブロック１１２と第３本体ブロック１１３とは、少なくとも、図１に示す表示体１１２ａの表示画面が第３本体ブロック１１３に対して背中合わせになる状態（収納状態）と、図３に示す表示画面と枠状構造若しくは開口部が並列した姿勢（伸長状態）との間を回動可能に構成されている。
【００１９】
本実施形態では、図１に示す収納状態では、第１本体ブロック１１１、第２本体ブロック１１２及び第３本体ブロック１１３を互い違いに（三つ折れ状に）折り畳むことによって相互に重なった状態となるので、本体部１１０がコンパクトな構造となり、通常の腕時計として装着して用いることができる。この収納状態では、表示体１１２ｂが第３本体ブロック１１３の開口部１１３ａを通して視認可能な状態となっているため、この表示体１１２ｂにより時刻表示や着信表示などが視認可能に構成される。ここで、収納状態でも、第３本体ブロック１１３に設けられた音声出力手段１１３ｂは露出しているので、ここから音声を出力することができる。また、収納状態では音声入力手段１１１ｂは第２本体ブロック１１２によって覆われた状態となっており、これによって音声入力手段１１１ｂを保護することができる。
【００２０】
また、第２本体ブロック１１２の端部の両側部に設けられたロック解除ボタン１１２ｃを両側から押圧することによって、第１本体ブロック１１１と第２本体ブロック１１２との係合が解除されるため、図２に示すように各本体ブロックを開くことができる。図２に示す中間状態では、携帯電話としては使いにくいが、例えば、電子メールなどを送受信したり、電子メールの送信内容を打ち込んだりすることができる。このとき、第２本体ブロック１１２と第３本体ブロック１１３とを後述する係合部などにより重ねあわせ状態に保持してもよい。この状態では、収納状態が解除されることによって、本体部１１０とバンド部１２０との周回方向の長さが長くなるので、腕に対する着脱（腕への装着と取り外し）を行うことができるようになる。
【００２１】
この図２に示す状態からさらに各本体ブロックを開くことによって、図３に示す伸長状態に移行させることができる。図３に示す伸長状態では、本体部１１０が本体ブロックの並列方向に長くなるため、音声入力手段１１１ｂと音声出力手段１１３ｂとの距離を大きくとることができる。したがって、音声入力手段１１１ｂを口に近づけるとともに、音声出力手段１１３ｂを耳に近づけることが可能になり、通話が容易になる。
【００２２】
図４は、本体部１１０の構造をより詳細に示す収納状態の側面図（ａ）、ロック機構を示す部分断面図（ｂ）及びロック状態を解除したときの状態を示す側面図（ｃ）である。
【００２３】
このロック機構は、第１本体ブロック１１１の端部に設けられた係合部材１１１ｃと、第２本体ブロック１１２に設けられた係合部材１１２ｄとが係合することによって第１本体ブロック１１１と第２本体ブロック１１２とが図２に示す重ね合わせ状態に保持されるように構成されている。図示例では、係合部材１１１ｃは鉤状（茸状）の突起であり、第２本体ブロック１１２の開口部１１２ｆ（図１及び図３参照）を通して導入される。また、係合部材１１２ｄは開口部１１２ｆを通して第２本体ブロック１１２の内部に導入された係合部材１１１ｃに係合するようになっている。係合部材１１２ｄの一部は第２本体ブロック１１２の側部から突出し、上記のロック解除ボタン１１２ｃを構成する。一対の係合部材１１２ｄの間にはコイルバネなどで構成される弾性部材１１２ｅが介在し、この弾性部材１１２ｅによって一対の係合部材１１２ｄが共に係合部材１１１ｃに係合する方向に付勢されている。
【００２４】
上記のロック機構においては、第１本体部材１１１と第２本体部材１１２とを折り畳むと、係合部材１１１ｃが開口部１１２ｆを通して第２本体ブロック１１２内に導入され、弾性部材１１２ｅの弾性力に抗して係合部材１１２ｄに係合するので、第１本体部材１１１と第２本体部材１１２の折り畳み状態が保持される。
【００２５】
第１本体部材１１１と第２本体部材１１２とが折り畳み状態にあるときは、上述のようにロック解除ボタン１１２ｃを押圧することによって弾性部材１１２ｅが圧縮されつつ係合部材１１２ｄの係合部材１１１ｃに対する係合状態が解除されるため、第１本体部材１１１と第２本体部材１１２とが開くようになる。
【００２６】
また、図４に示すように、第２本体ブロック１１２に係合部１１２ｇが設けられ、第３本体ブロック
１１３に係合部１１３ｇが設けられ、係合部１１２ｇと１１３ｇとが係合（嵌合）することによって第２本体ブロック１１２と第３本体ブロック１１３とが重ねあわされた状態で保持されるようになっている。係合部１１２ｇと１１３ｇの係合構造は、スナップ的に係合して係合状態が保持されるものであってもよく、また、磁力によって吸着保持されるものであってもよい。ここで、第１本体ブロック１１１における第２本体ブロック１１２側の端部と、第３本体ブロック１１３とを係合保持するように構成してもよい。
【００２７】
図５は、上記実施形態の伸長状態にある本体部を側方から見た様子を示す側面図である。この実施形態では、第２本体ブロック１１２には、内面（収納状態で第１本体ブロック１１１と対向する面）側に表示体１１２ａが内蔵され、外面（収納状態で第３本体ブロック１１３と対向する面）側に表示体１１２ｂが内蔵されている。ここで、表示体１１２ａは例えばドットマトリクス型の画素配列を有する液晶表示パネルで構成され、表示体１１２ｂは例えばセグメント型の画素配列を有する液晶表示パネルで構成される。第１本体ブロック１１１の内部には、計時手段（ムーブメント）１１１ｘが内蔵され、この計時手段１１１ｘによって第２本体ブロック１１２の表示体１１２ｂによって時刻表示がなされるように構成されている。ここで、計時手段は第２本体ブロック１１２の内部に収容されていてもよい。
【００２８】
以上説明した本実施形態では、図１に示す収納状態とすることにより本体部１１０をコンパクトに構成できるので、バンド部１２０により腕などに装着したままで容易に携帯できる。この状態では通常の腕時計として用いることができる。また、図２や図３に示すように収納状態を解除することによって、腕に装着したり、腕から取り外したりすることができる。したがって、従来のようにバンド部１２０に連結具や開閉部を設ける必要がない。さらに、図２に示す中間状態や図３に示す伸長状態とすることにより本体部１１０を伸長させて種々の操作が可能になったり、表示体１１２ａによって種々の表示を視認することができる。より具体的には、本実施形態の場合、電子メールを打ったり通話を行ったりすることができる。
【００２９】
特に、本実施形態においては、本体部１１０が三つ折れ状に構成されているので、本体部１１０とバンド１２０の接続態様を変更することなく、きわめて簡単な操作だけで収納状態とその解除状態（中間状態或いは伸長状態）との間の移行が可能になる。
【００３０】
図６は、上記実施形態の変形例の腕時計１００′の本体部１１０′を示す側面図である。この変形例では、本体部１１０′とバンド部１２０′を有し、操作入力手段１１１ａ′及び音声入力手段１１１ｂ′を備えた第１本体ブロック１１１′、表示体１１２ａ′を備えた第２本体ブロック１１２′、並びに、音声出力手段１１３ｂ′を備えた第３本体ブロック１１３′を有する点で上記実施形態と同様である。
【００３１】
この実施形態では、第２本体ブロック１１２′には、伸長状態や中間状態でのみ視認可能な表示体１１２ａ′が設けられているだけで、その裏面側に表示画面を有する表示体は設けられていない。その代わりに、第３本体ブロック１１３′の外面（収納状態のときに外部に露出する面）に表示画面を有する表示体１１３ａ′が設けられている。
【００３２】
この腕時計１００′では、収納状態において第３本体ブロック１１３′に設けられた表示体１１３ａ′によって所定の表示（時刻、着信状態など）を視認することができる。また、図示の伸長状態では、第２本体ブロック１１２′の表示体１１２ａ′と、第３本体ブロック１１３′の表示体１１３′とが並列することになるため、より多くの表示情報が視認可能になる。このとき、表示体１１２ａ′と１１３ａ′とにそれぞれ別の表示情報を表示してもよく、また、一体の表示画像などを２つの表示体１１２ａ′と１１３ａ′に分割して表示してもよい。
【００３３】
第３本体ブロック１１３′の内部には、計時手段（ムーブメント）１１３ｘ′が内蔵され、この計時手段１１３ｘ′によって表示体１１３ａ′に時刻表示がなされるように構成されている。ここで、計時手段は第１本体ブロック１１１′や第２本体ブロック１１２′の内部に収容されていてもよい。
【００３４】
図７は、上記とは異なる別の実施形態の外観を示す概略斜視図である。この腕時計２００は、本体部２１０とバンド部２２０とを有し、本体部２１０が第１本体ブロック２１１、第２本体ブロック２１２及び第３本体ブロック２１３を有する点で上記実施形態と同様である。また、音声入力手段２１１ｂ、開口部２１３ａ、音声出力手段２１３ｂもまた上記実施形態と同様であるので、説明を省略する。ただし、第１本体ブロック２１１に上記表示部となる表示体２１１ａが設けられ、第２本体ブロック２１２に操作入力手段２１２ａが設けられている点で、上記実施形態とは異なる。なお、図６に示す変形例と同様に第３本体ブロック２１３に表示体を設けても構わない。
【００３５】
ここで、上記第１本体ブロック２１１の表示部２１１ａには、収納状態では時刻表示などの時間情報が表示される。また、図示の伸長状態では表示が切り替わり、電子メールなどの他の表示情報を表示するように構成してもよい。
【００３６】
この実施形態では、第１本体ブロック２１１の内部に第２本体ブロック２１２が収容可能に構成されているとともに引き出し可能に構成され、第２本体ブロック２１２の内部に第３本体ブロック２１３が収容可能に構成されているとともに引き出し可能に構成され、この状態で相互に連結されている。すなわち、複数の本体ブロックが入れ子式構造にそれぞれ出し入れ可能に連結されている。これによっても、収納状態においては本体部２１０をコンパクトに構成することができるため、例えば通常の腕時計と同様に携帯することができ、図示の伸長状態では携帯電話などの通信機器として容易に用いることが可能になる。また、本体部２１０を伸長させることによって腕などに対する着脱が可能になるので、バンド部２２０に脱着構造を設ける必要がない。
【００３７】
なお、図７では入れ子式構造によって隣接する本体ブロックの一方を他方に挿入可能に構成しているが、その代わりに、隣接する本体ブロックの一方を他方に重ねたり、引き出したりできるようにスライド可能に構成したスライド式構造によって連結してもよい。このようにしても、上記の入れ子式構造の場合と同様の効果を得ることができる。
【００３８】
尚、本発明の腕時計は、上述の図示例にのみ限定されるものではなく、本発明の要旨を逸脱しない範囲内において種々変更を加え得ることは勿論である。例えば、上記実施形態では、いずれも３つの本体ブロックを連結した本体部を構成しているが、本発明では、本体部を構成する本体ブロックが複数あればよく、３以外の任意の数の本体ブロックで本体部を構成できる。ただし、腕時計としては、２つ若しくは３つの本体ブロックを有する本体部とすることが収納状態における携帯性と伸長状態における使い勝手とを両立する上で最も好ましい。
【００３９】
また、上記各実施形態はいずれも通信機能が付加された腕時計として説明したが、本発明は、このような態様に限定されるものではなく、通信機能以外の種々の機能、たとえば、ＧＰＳ機能、心拍数係数機能、血圧測定機能などの種々の機能を付加したものであってもよい。また、通常の腕時計としての機能以外に付加機能を何ら備えていないものであっても構わない。
【図面の簡単な説明】
【００４０】
【図１】実施形態の収納状態を示す概略斜視図。
【図２】実施形態の中間状態を示す概略斜視図。
【図３】実施形態の伸長状態を示す概略斜視図。
【図４】実施形態のロック機構を示すロック状態の側面図（ａ）、拡大部分断面図（ｂ）及び解除状態の側面図（ｃ）。
【図５】実施形態の伸長状態を示す本体部の側面図。
【図６】変形例の伸長状態を示す本体部の側面図。
【図７】異なる実施形態の伸長状態を示す概略斜視図。
【符号の説明】
【００４１】
１００，１００′，２００…腕時計、１１０，１１０′，２１０…本体部、１１１…第１本体ブロック、１１１ａ…操作入力手段、１１１ｂ…音声入力手段、１１１ｃ…係合部材、１１２…第２本体ブロック、１１２ａ…表示体、１１２ｂ…表示体、１１２ｃ…ロック解除ボタン、１１２ｄ…係合部材、１１２ｅ…弾性部材、１１２ｆ…開口部、１１２ｇ…係合部、１１３…第３本体ブロック、１１３ａ…開口部、１１３ｂ…音声出力手段、
【図１】
2005106520.tif 000003
【図２】
2005106520.tif 000004
【図３】
2005106520.tif 000005
【図４】
2005106520.tif 000006
【図５】
2005106520.tif 000007
【図６】
2005106520.tif 000008
【図７】
2005106520.tif 000009